(57)【特許請求の範囲】
【請求項１】
空気活性化開始剤系（成分Ａ）およびラジカル重合性オレフィン性不飽和モノマー（成分Ｂ）を含有する好気性接着剤から成る一液型反応性接着剤であって、イソシアネート基および／またはアルコキシシラン基を有する少なくとも１種の化合物を含有する反応性接着剤。
【請求項２】
空気活性化開始剤系としてヒドラゾンまたはジヒドロピリジンを含有する請求項１記載の反応性接着剤。
【請求項３】
成分Ｂ）として、アクリル酸またはメタクリル酸およびそれらの誘導体を含有する請求項１または２記載の反応性接着剤。
【請求項４】
アクリル酸またはメタクリル酸の誘導体は、炭素数１〜２５のエステルおよびアミドである請求項３に記載の反応性接着剤。
【請求項５】
安定剤、助剤、充填剤および触媒からなる群から選択される添加剤を含有する請求項１〜４のいずれかに記載の反応性接着剤。
【請求項６】
接着剤全体に対して、
Ａ） 空気活性化開始剤系０.２〜１５重量％、
Ｂ） ラジカル重合性モノマー２０〜９９.６重量％、
Ｃ） イソシアネート基および／またはアルコキシシラン基を有する少なくとも１種の化合物０.２〜１０重量％、および
Ｄ） 安定剤、助剤、充填剤および触媒からなる群から選択される添加剤０〜５０重量％
の組成を有する請求項１〜５のいずれかに記載の反応性接着剤。
【請求項７】
接着剤全体に対して、
Ａ） 空気活性化開始剤系１〜１０重量％、
Ｂ） ラジカル重合性モノマー４０〜８０重量％、
Ｃ） イソシアネート基および／またはアルコキシシラン基１〜７重量％、および
Ｄ） 安定剤、助剤、充填剤および触媒からなる群から選択される添加剤０.０１〜４０重量％
の組成を有する請求項６に記載の反応性接着剤。
【発明の詳細な説明】
本発明は、好気性接着剤から成る一液型反応性接着剤に関する。
好気性接着剤は既知である。例えばドイツ連邦共和国特許ＤＥ３８２９４３８およびＤＥ３８２９４６１には、ある活性剤系の存在によって、酸素暴露により重合するエチレン性不飽和重合性化合物が記載されている。その活性剤系は、α位に少なくとも１個の脂肪族ＣＨ結合を有するＮ−アルキル置換第三級アリールアミン（例えばジメチルアニリンまたはジメチル−p−トルイジン）、不飽和油の乾燥を促進するための、系に可溶な金属化合物、およびpＫs値０.９〜７のカルボン酸から成る。好ましい乾燥剤は、複数の原子価で存在する金属化合物、とりわけコバルト、マンガンまたは鉄の金属化合物である。カルボン酸は、カルボン酸モノマーまたはポリマー、好ましくはエチレン性不飽和モノまたはジカルボン酸、例えばアクリル酸、メタクリル酸およびマレイン酸である。遊離カルボン酸の代わりに、加水分解可能な誘導体（例えば無水物）を使用してもよい。
ドイツ連邦共和国特許出願公開ＤＥ−ＯＳ４０００７７６およびＤＥ−ＯＳ４１２３１９４には、開始剤としてヒドラゾンを含有するオレフィン性不飽和化合物のラジカル重合性多成分混合物が記載されている。この混合物は、空気の不存在下、貯蔵安定性である。開始剤の主成分は、ヒドロパーオキシドを生成し得る脂肪族、シクロ脂肪族または芳香族アルデヒドまたはケトンのアルキル、シクロアルキルまたはアリールヒドラゾンから成る。この開始剤系は、好ましくは、不飽和油の乾燥に使用する種類の可溶性金属化合物、例えば銅またはマンガン、とりわけ二価もしくは三価鉄の化合物をも含有する。ラジカル重合促進作用を有する還元剤（例えばヒドロキシケトン）も存在し得る。
ドイツ連邦共和国特許ＤＥ４３３０３５４には、ある種のフラノンの存在により、空気暴露により重合するオレフィン性不飽和化合物のラジカル重合性組成物が記載されている。この場合も、可溶性金属化合物（とりわけ、鉄、コバルトおよびマンガン化合物）が、活性剤として作用する。
更に、開始剤系中にジヒドロピリジンを含有する好気性接着剤が、ロクタイト（Ｌoctite）のアイルランド国特許出願ＩＥ９１／７４１およびＩＥ９１／７４２に記載されている。
上記のような既知の好気性接着剤は、短時間で有効な接着を達成する。しかし、適用によっては、接着開始時および硬化後のいずれにおいても比較的強度の高い接着が要求されることもある。
本発明の課題は、好気性接着剤の特性レベルを、とりわけ最終強度と初期強度とにおいて向上することであった。
本発明によるその解決法は、請求の範囲に記載した通りであり、本質的に、接着剤の成分化合物の少なくとも１つが、イソシアネート基および／またはアルコキシシラン基を更なる活性基として有するということによって特徴付けられる。このような更なる官能基は、ラジカル重合性オレフィン性不飽和モノマーに直接化学結合していても、独立した化合物を構成していてもよい。後者の場合、そのような化合物は、一液型ポリウレタン接着剤として知られる。そのような化合物は、比較的高分子量のポリオールと、化学量論量を越えるイソシアネートとから通例生成するポリイソシアネートの湿分架橋系（いわゆるイソシアネートポリウレタン）である。そのようなポリイソシアネート化合物は、アルコキシシラン化合物と反応して、アルコキシシラン末端ポリウレタンを生成し得ることも知られている。ＮＣＯ基が、多少シラン基で置き替わり得る。そのようなモノマー、および反応性接着剤におけるその使用は、既知である。
アルコキシシラン末端湿分硬化ポリウレタンは、例えばドイツ連邦共和国特許ＤＥ３６２９２３７に記載されている。その合成には、まず、ＯＨ末端ジオールおよび／またはトリオールとジイソシアネートとを反応させて、ＮＣＯ官能価少なくとも２のＮＣＯ末端ポリウレタンを生成する。次いで、脂肪族アルコール中でＮＣＯ基のいくつかを反応させて、ＮＣＯ官能価が少なくとも１で、２未満のポリウレタンを生成する。最後に、残りのＮＣＯ基を、アミノアルキル、メルカプトアルキルまたはエポキシアルキルアルコキシシランと反応させる。
そのような湿分硬化アルコキシシラン末端ポリウレタンは、ドイツ連邦共和国特許ＤＥ４０２１５０５にも記載されている。この場合のシラン化合物は、式：Ｘ−（ＣＨ2）n−Ｓi（Ｒ）−（ＯＲ1）2                        （Ｉ）
［式中、Ｘは第二級アミノ基、または炭素数１〜１０のアルコキシル基である。］で示される。好ましい化合物は、（β−アミノエチル）−トリメトキシシラン、（γ−アミノプロピル）−トリメトキシシラン、（β−アミノエチル）−メチルジメトキシシラン、（γ−アミノプロピル）−メチルジメトキシシラン、（β−アミノプロピル）−トリエトキシシラン、（γ−アミノプロピル）−トリエトキシシラン、（β−アミノエチル）−メチルジエトキシシラン、および（γ−アミノプロピル）−メチルジエトキシシランである。
ポリオール、ポリイソシアネート、およびそれらの反応によるアルコキシシラン末端ポリウレタン生成に関しては、ドイツ連邦共和国特許出願公開ＤＥ−ＯＳ４０２９５０５およびＤＥ−ＯＳ４０２９５０４に、より詳細に記載されている。それらの関連内容を、本発明の開示の一部とする。
ラジカル重合性オレフィン性不飽和モノマーも既知である（例えば、従来技術として挙げた文献、並びにドイツ連邦共和国特許ＤＥ４３４０２３９およびＤＥ４３４００９５参照）。そのようなモノマーは実質的に、アクリレートまたはメタクリレート化合物、アクリロニトリルおよびスチレン並びにそれらの誘導体である。低分子量モノマーのほか、ポリ反応によって生成した比較的高分子量のモノマー（例えばアクリル末端ポリエステル）も適当である。アクリル酸またはメタクリル酸およびそれらの誘導体（例えばエステルおよびアミド）が好ましい。
触圧接着性を得るためには、アクリレートが特に好ましい。適当なモノマーを使用すれば、触圧接着性を有する層が得られる。
ラジカル重合性モノマー、空気活性化開始剤系、イソシアネートおよびシラン化合物の群から特定の成分を選択するに当たっては、貯蔵安定性を当然考慮しなければならない。ヒドラゾン開始剤とイソシアネート後硬化を組み合わせる場合、第三級脂肪族イソシアネート（例えばＴＭＸＤＩの反応生成物）に限って使用すべきである。活性水素を含まない他の開始剤系に対しては、そのような制限は適用されない。
添加剤、例えば安定剤、助剤および充填剤も、同様の考慮の下に選択すべきである。選択基準は、接着剤化学者によく知られている。このことは、とりわけ、ＮＣＯまたはシラン後硬化用の触媒、例えばＳn化合物に対して当てはまる。
このようにして、異なる時間に起こる二種の化学反応によって硬化する、貯蔵可能な一液型反応性接着剤を製造することができる。速い方の反応によって、望ましい一時的特性が得られる。遅い方の第二反応（後硬化）によって、特性レベルが顕著に向上する。このことは、とりわけ、最終的な強度、耐熱性、耐溶媒性および耐水性に当てはまる。貯蔵安定性は２箇月以上に及ぶ。これは、製剤の粘度測定によって調べた。
上記の二つの硬化メカニズムを組み合わせると、後硬化成分を単独で使用するよりも、強度がより速く顕著に向上する。
本発明を以下の実施例によって更に説明する。
Ｉ．プレポリマーの製造
１） ＫＰＧ攪拌機、内部温度計および還流冷却器を取り付けた１l三つ口フラスコ内で、ＣＡＰＡ３０５［ソルベイ（Ｓolvay）製のポリカプロラクトントリオール］（２２０g、０.４モル）、および１,３−ビス−（１−イソシアナト−１−メチルエチル）−ベンゼン［アメリカン・シアナミド（Ａmerican  Ｃyanamide）製のＴＭＸＤＩ（脂肪族ジイソシアネート）］（２９３g、１.２モル）を窒素雰囲気中で混合し、１１０℃に２時間加熱して、理論ＮＣＯ含量９.８３％とする。
２） １）に記載の反応器内で、ＰＰＵ２４０４［ダウ（ＤＯＷ）製のプロピレンオキシド由来マクロトリオール］（６１６g、０.１５モル）、およびＴＭＸＤＩ（１１０g、０.４５モル）を混合し、１１０℃に加熱する。１時間後、ジブチルスズジラウレート（ＤＢＴＬ）（０.０５％）を加え、反応混合物を更に２時間加熱して、理論ＮＣＯ含量２.６％とする。
３） １）に記載の反応器内で、ジアノール（Ｄianol）３２０［アクゾ（Ａkzo）製のプロポキシル化ビスフェノールＡ］（２７５g、０.８モル）、およびＴＭＸＤＩ（２９３g、１.２モル）を混合し、１００℃に加熱する。１時間後、ＤＢＴＬ（０.０５％）を加え、反応混合物を加熱して、理論ＮＣＯ含量５.９％とする。
４） １）に記載の反応器内で、ＰＴＨＦ２０００（ＢＡＳＦ製のポリテトラヒドロフルフリルジオール）（２００ｇ、０．１モル）を８０℃に加熱する。次いで、２,４−トルイジンジイソシアネート［バイエル社（Ｂayer  ＡＧ）製のデスモデュア（Ｄesmodur） ＆  １００］（３５g、０.２モル）、およびＤＢＴＬ（０.０１％）を加え、混合物を加熱して、理論ＮＣＯ含量３.５８％とする。次いで、３−アミノプロピルトリメトキシシラン（３５.４g、０.１９８モル）を加え、混合物を加熱して、ＮＣＯ含量＜０.１％とする。
５） １）に記載の反応器内で、ＴＭＸＤＩ（３９０g、１.６モル）、および２−ヒドロキシエチルアクリレート（１８６g、１.６モル）を混合し、８５℃に加熱して、ＮＣＯ含量を理論値１１.７％とする。
II．接着剤製剤
（Ｐ＝重量部）
接着剤製剤Ａ
0004020426.tif 000002
接着剤製剤Ｂ
0004020426.tif 000003
接着剤製剤Ｃ
0004020426.tif 000004
接着剤製剤Ｄ
0004020426.tif 000005
接着剤製剤Ｅ
0004020426.tif 000006
接着剤製剤Ｆ
0004020426.tif 000007
接着剤製剤Ｇ
0004020426.tif 000008
接着剤製剤Ｈ
0004020426.tif 000009
接着剤製剤Ｉ
0004020426.tif 000010
実施例Ｊ
0004020426.tif 000011
比較例
実施例Ｋ（好気性成分のみ）
0004020426.tif 000012
実施例Ｌ（ＮＣＯプレポリマーのみ）
湿分硬化一液型ポリウレタン接着剤として実施例１のプレポリマーを用いて接着を行う。
III．接着剤製剤の製法
窒素を導入した多口フラスコにモノマーを入れ、そこに、酸素および水分の不存在下に、阻害安定剤、金属化合物および必要な添加剤を溶解する。次いで、ＮＣＯプレポリマーまたはシラン官能性プレポリマーを入れ、溶液をホモジナイズする。均一混合物を−１９６℃に冷却し、フラスコを排気して０.５トルとした後、室温に加熱する。この冷凍／解凍サイクルを複数回繰り返すことによって、系から残留酸素を除去する。次いで、酸素感受性開始剤成分を加え、系を前記と同様に排気する。混合物を不活性ガス雰囲気中で貯蔵する。
IV．試験
試験片に接着剤を１００μmの厚さにナイフ塗布した。２０分間の空気接触時間後、接着する部分を互いに接合し、７０Ｎ／mm2の圧力を３０秒間加えた。下記硬化時間後、引張強さおよび表面粘着性を試験した。表面粘着性試験のために、ＰＶＣ板に接着剤を１００μmの厚さにナイフ塗布し、空気暴露後に触って評価した（＋＝粘着性、−＝非粘着性）。
引張剪断強さは、ワンカットオーバラップ（２５０mm2）を有する試験片に対してＤＩＮ５３２８１に従って測定し、Ｎ／mm2で表した。
得られた結果を表に示す。
0004020426.tif 000013
0004020426.tif 000014
0004020426.tif 000015